(57)【要約】【課題】データ書込み異常が発生したメディアに、当該異常が発生したことを示すマークを確実に印刷することができるメディア処理装置を提供すること。【解決手段】ＣＤ／ＤＶＤパブリッシャ１はレーベルプリンタ４で発生するインクニアエンド状態を検出するインクニアエンド検出部４２と、レーベルプリンタ４の各インクの合計残量がブランクメディアスタッカ５の最大供給枚数分のメディアに書込み異常マークを印刷するインク使用量以下の状態となったインク残量少状態を検出するインク残量少検出部４３を備える。レーベルプリンタ４は、インクニアエンド状態が検出された後はレーベルの印刷を行なわず、レーベルの印刷中にインク残量少状態が検出されるとレーベル印刷を停止して、書込み異常マークを印刷するためのインク量を確保する。従って、書込み異常マークを確実に印刷できる。【選択図】図２
2008119985.tif 000002
【特許請求の範囲】
【請求項１】
メディア供給部からメディアドライブにメディアを供給し、
当該メディアドライブによって前記メディアにデータを書込み、
データ書込み後の書込み済みメディアをプリンタに供給し、
前記書込み済みメディアが正常にデータが書込まれた書込み正常メディアである場合には、当該書込み正常メディアにレーベルを印刷し、
前記書込み済みメディアが、データ書込み異常が発生した書込み異常メディアである場合には、当該書込み異常メディアにデータ書込み異常が発生したことを示す書込み異常マークを印刷し、
前記レーベル印刷あるいは前記書込み異常マークが印刷された後の印刷済みメディアをメディア排出部に排出し、
前記レーベルを印刷する前の時点で前記プリンタのインクの残量が第１インク量以下のインクニアエンド状態となっていることが検出された場合には、前記書込み正常メディアを、前記レーベルを印刷することなく前記メディア排出部に排出し、
前記レーベルを印刷している途中の時点で前記インクニアエンド状態となったことが検出された場合には、前記レーベル印刷を継続し、
前記レーベルを印刷している途中の時点で前記プリンタのインクの残量が前記第１インク量よりも少ない第２インク量以下になったことが検出された場合には、前記レーベル印刷を強制終了させ、印刷途中の前記書込み正常メディアを前記プリンタから取り出して前記メディア排出部に排出することを特徴とするメディア処理装置の駆動制御方法。
【請求項２】
複数種類のインクを用いてレーベル印刷が可能なプリンタを有し、
前記複数種類のインクの少なくとも２つのインクを、メディアにデータ書込み異常が発生したことを示す書込み異常マークの印刷に用いるマーク印刷用インクとして予め定め、
メディア供給部からメディアドライブにメディアを供給し、
当該メディアドライブによって前記メディアにデータを書込み、
データ書込み後の書込み済みメディアをプリンタに供給し、
前記書込み済みメディアが正常にデータが書込まれた書込み正常メディアである場合には、当該書込み正常メディアにレーベルを印刷し、
前記書込み済みメディアが、データ書込み異常が発生した書込み異常メディアである場合には、前記マーク印刷用インクのいずれか一つを用いて当該書込み異常メディアに前記書込み異常マークを印刷し、
前記レーベル印刷あるいは前記書込み異常マークが印刷された後の印刷済みメディアをメディア排出部に排出し、
前記レーベルを印刷する前の時点で前記プリンタのいずれか一つのインクの残量が第１インク量以下のインクニアエンド状態となっていることが検出された場合には、前記書込み正常メディアを、前記レーベルを印刷することなく前記メディア排出部に排出し、
前記レーベルを印刷している途中の時点で前記プリンタのいずれか一つのインクが前記インクニアエンド状態となったことが検出された場合には、前記レーベル印刷を継続し、
前記レーベルを印刷している途中の時点で前記マーク印刷用インクの合計残量が第２インク量以下になったことが検出された場合には、前記レーベル印刷を強制終了させ、印刷途中の前記書込み正常メディアを前記プリンタから前記メディア排出部に排出し、
前記書込み異常マークの印刷に用いている前記マーク印刷用インクがインクエンド状態となったことが検出された場合には、残っている他の前記マーク印刷用インクの一つを用いて前記書込み異常マークを印刷することを特徴とするメディア処理装置の駆動制御方法。
【請求項３】
請求項２において、
前記書込み異常マークの印刷に用いている前記マーク印刷用インクがインクエンド状態となったことが検出された場合には、
前記インクエンド状態が検出された時点で、最もインクの残量の多い前記マーク印刷用インクを用いること特徴とするメディア処理装置の駆動制御方法。
【請求項４】
請求項２において、
前記マーク印刷用インクに優先順位を予め設定しておいて、
前記書込み異常マークの印刷に用いている前記マーク印刷用インクがインクエンド状態となったことが検出された場合には、
残っている前記マーク印刷用インクの中で最も前記優先順位が高いマーク印刷用インクを用いることを特徴とするメディア処理装置の駆動制御方法。
【請求項５】
請求項４において、
前記優先順位は、印刷された前記書込み異常マークの視認性に基づき設定されていることを特徴とするメディア処理装置の駆動制御方法。
【請求項６】
請求項５において、
前記優先順位の低い前記マーク印刷用インクが用いられる場合には、それよりも優先順位の高い前記マーク印刷用インクを用いる場合に比べて、前記書込み異常マークを大きく印刷することを特徴とするメディア処理装置の駆動制御方法。
【請求項７】
請求項１ないし６のいずれかの項において、
前記第１インク量を、少なくとも、１枚のメディアに対するレーベル印刷に必要なインク使用量とすることを特徴とするメディア処理装置の駆動制御方法。
【請求項８】
請求項１ないし７のいずれかの項において、
予め設定した枚数分のメディアに前記データ書込みと前記レーベル印刷を連続して行なう場合に、前記第２インク量を、少なくとも、設定枚数分のメディアに前記書込み異常マークを印刷するために必要なインク使用量とすることを特徴とするメディア処理装置の駆動制御方法。
【請求項９】
請求項１ないし７のいずれかの項において、
前記第２インク量を、少なくとも、前記メディア供給部の最大供給枚数分のメディアに前記書込み異常マークを印刷するために必要なインク使用量とすることを特徴とするメディア処理装置の駆動制御方法。
【請求項１０】
請求項１ないし７のいずれかの項において、
前記第２インク量を、少なくとも、前記メディア供給部に残っている枚数分のメディアに前記書込み異常マークを印刷するために必要なインク使用量とすることを特徴とするメディア処理装置の駆動制御方法。
【請求項１１】
請求項１ないし１０のうちのいずれかの項において、
前記インクニアエンド状態が検出されると、その旨の警告を発することを特徴とするメディア処理装置の駆動制御方法。
【請求項１２】
請求項１ないし１１のうちのいずれかの方法によりメディア処理装置を駆動制御する駆動制御装置であって、
通信回線を介して外部から前記メディア処理装置を駆動制御することを特徴とするメディア処理装置の駆動制御装置。
【請求項１３】
メディアにデータを書込むメディアドライブと、
メディアドライブにおいてデータ書込みが終わった書込み済みメディアに印刷を行なうプリンタと、
メディアを排出するためのメディア排出部と、
前記メディアドライブのデータ書込み異常を検出するためのデータ書込み異常検出手段と、
前記プリンタのインクの残量が第１インク量以下のインクニアエンド状態となったことを検出するインクニアエンド検出手段と、
前記プリンタのインクの残量が第２インク量以下になったインク残量少状態を検出するインク残量少検出手段と、
メディアの搬送を行なうメディア搬送機構を有し、
前記プリンタは、前記データ書込み異常が検出されなかった書込み正常メディアには前記レーベルを印刷し、前記データ書込み異常が検出された書込み異常メディアには、当該書込み異常メディアにデータ書込み異常が発生したことを示す書込み異常マークを印刷し、
前記メディア搬送機構は、前記レーベルあるいは前記書込み異常マークが印刷された後の印刷済みメディアを前記メディア排出部に排出し、
前記プリンタが前記レーベルを印刷する前の時点で前記インクニアエンド状態が検出されると、前記プリンタは、当該インクニアエンド状態が解消されるまで、前記書込み正常メディアに対する前記レーベルの印刷を停止し、前記メディア搬送機構は、前記レーベルが未印刷状態の前記書込み正常メディアを前記メディア排出部へ排出し、
前記プリンタが前記レーベルを印刷している途中の時点で前記インクニアエンド状態が検出された場合には、前記レーベル印刷を継続し、前記プリンタが前記レーベルを印刷している途中の時点で前記インク残量少状態検出された場合には、前記プリンタは前記レーベル印刷を強制終了し、前記メディア搬送機構は、印刷途中の前記正常書込みメディアを前記プリンタから取り出して前記メディア排出部に排出することを特徴とするメディア処理装置。
【請求項１４】
メディアにデータを書込むメディアドライブと、
メディアドライブにおいてデータ書込みが終わった書込み済みメディアに複数種類のインクを用いてレーベルの印刷を行なうプリンタと、
メディアを排出するためのメディア排出部と、
前記メディアドライブのデータ書込み異常を検出するためのデータ書込み異常検出手段と、
前記複数種類のインクのそれぞれのインク残量が第１インク量以下のインクニアエンド状態となったことを検出するインクニアエンド検出手段と、
前記複数種類のインクの少なくとも２つのインクを、メディアにデータ書込み異常が発生したことを示す書込み異常マークの印刷に用いるマーク印刷用インクとして設定するマーク印刷用インク設定手段と、
前記複数種類のマーク印刷用インクの中から実際に前記書込み異常マークの印刷に使用する一のマーク印刷用インクを選択するマーク印刷インク選択手段と、
前記複数種類のマーク印刷用インクの合計残量が第２インク量以下のインク残量少状態となったことを検出するインク残量少検出手段と、
前記複数種類のマーク印刷用インクそれぞれのインクエンド状態を検出するインクエンド検出手段と、
メディアの搬送を行なうメディア搬送機構を有し、
前記プリンタは、前記データ書込み異常が検出されなかった書込み正常メディアには前記レーベルを印刷し、前記データ書込み異常が検出された書込み異常メディアには前記マーク印刷インク選択手段が選択した前記一のマーク印刷用インクを用いて前記書込み異常マークを印刷し、
前記メディア搬送機構は、前記レーベルあるいは前記書込み異常マークが印刷された後の印刷済みメディアを前記メディア排出部に排出し、
前記プリンタが前記レーベルを印刷する前の時点で前記インクニアエンド状態が検出されると、前記プリンタは、当該インクニアエンド状態が解消されるまで、前記書込み正常メディアに対する前記レーベルの印刷を停止し、前記メディア搬送機構は、前記レーベルが未印刷状態の前記書込み正常メディアを前記メディア排出部へ排出し、
前記プリンタが前記レーベルを印刷している途中の時点で前記インクニアエンド状態が検出された場合には、前記レーベル印刷を継続し、
前記プリンタが前記レーベルを印刷している途中の時点で前記インク残量少状態検出された場合には、前記プリンタは前記レーベル印刷を強制終了し、前記メディア搬送機構は、印刷途中の前記書込み正常メディアを前記プリンタから取り出して前記メディア排出部に排出し、
前記インクエンド検出手段が、前記マーク印刷インク選択手段が選択している前記マーク印刷用インクのインクエンド状態を検出した場合には、前記マーク印刷インク選択手段は、インクエンド状態が検出されていない他の前記マーク印刷用インクの一つを選択し、前記プリンタは選択された当該マーク印刷用インクを用いて前記書込み異常マークを印刷することを特徴とするメディア処理装置。
【請求項１５】
請求項１４において、
前記複数種類のマーク印刷用インクのそれぞれについてインクの残量を検出するインク残量把握手段を有し、
前記マーク印刷インク選択手段は、最もインクの残量の多い前記マーク印刷用インクを選択することを特徴とするメディア処理装置。
【請求項１６】
請求項１４において
前記マーク印刷インク選択手段は、前記複数種類のマーク印刷用インクのそれぞれに予め設定されている前記書込み異常マークの印刷に用いる優先順位を記憶保持しており、当該優先順位が最も高いマーク印刷用インクを選択することを特徴とするメディア処理装置。
【請求項１７】
請求項１６において、
前記優先順位は、印刷された前記書込み異常マークの視認性に基づき設定されていることを特徴とするメディア処理装置。
【請求項１８】
請求項１７において、
前記マーク印刷インク選択手段が前記優先順位の低い前記マーク印刷用インクを選択した場合には、前記プリンタは、それよりも優先順位の高い前記マーク印刷用インクを用いる場合に比べて、前記書込み異常マークを大きく印刷することを特徴とするメディア処理装置。
【請求項１９】
請求項１３ないし１８のいずれかの項において、
前記メディア搬送機構は、前記インクニアエンド状態が検出された後は、前記書込み正常メディアを、前記メディアドライブから前記メディア排出部に排出することを特徴とするメディア処理装置。
【請求項２０】
請求項１３ないし１９のいずれかの項において、
前記第１インク量を、少なくとも、１枚のメディアに対するレーベル印刷に必要なインク使用量とすることを特徴とするメディア処理装置。
【請求項２１】
請求項１３ないし２０のいずれかの項において、
前記データ書込みと前記レーベル印刷を連続して行なうメディアの作成枚数を予め設定するメディア作成枚数設定手段を有し、
前記第２インク量を、少なくとも、前記作成枚数分のメディアに前記書込み異常マークを印刷するために必要なインク使用量とすることを特徴とするメディア処理装置。
【請求項２２】
請求項１３ないし２０のいずれかの項において、
前記メディアドライブにメディアを供給するためのメディア供給部を有し、
前記第２インク量を、少なくとも、前記メディア供給部の最大供給枚数分のメディアに前記書込み異常マークを印刷するために必要なインク使用量とすることを特徴とするメディア処理装置。
【請求項２３】
請求項１３ないし２０のいずれかの項において、
前記メディアドライブにメディアを供給するためのメディア供給部と、
前記メディア供給部に残っているメディアの残枚数を取得するメディア残枚数取得手段と、
前記残枚数分のメディアに前記書込み異常マークを印刷するために必要なインク使用量を算出するインク使用量算出手段を有し、
前記第２インク量を、前記インク使用量算出手段が算出した前記インク使用量とすることを特徴とするメディア処理装置。
【請求項２４】
請求項１３ないし２３のうちのいずれかの項において、
前記インクニアエンド状態が検出されると、その旨の警告を発する警告手段を有することを特徴とするメディア処理装置。
【発明の詳細な説明】
【技術分野】
【０００１】
本発明は、ＣＤ、ＤＶＤなどのメディアにデータの書込み、およびレーベル印刷を行なうＣＤ／ＤＶＤパブリッシャなどのメディア処理装置に関し、更に詳しくは、データ書込み異常が発生したメディアに、当該異常が発生したことを示すマークを印刷するメディア処理装置およびメディア処理装置の制御方法に関する。
【背景技術】
【０００２】
メディア処理装置、たとえばＣＤ／ＤＶＤパブリッシャは、卒業アルバムのＤＶＤや雑誌に付録として添付されているＣＤなどのメディアを作成するために用いられる。ＣＤ／ＤＶＤパブリッシャでは、メディア供給部から取り出したブランクメディアを、まず、メディアドライブに供給して所定のデータを書込み、データ書込み後のメディアをプリンタに供給してレーベルを印刷する。そして、印刷が終了した完成メディアをメディア排出部に排出する。これら一連の動作を繰返し行なうことによって大量のメディアを作成する。
【０００３】
ＣＤ／ＤＶＤパブリッシャにおいて、メディアドライブでデータ書込みエラーが発生した場合、あるいは、プリンタで印刷エラーが発生した場合には、その時点で、データ書込み動作あるいは印刷動作を停止あるいは中断させる必要がある。また、動作を再開するためには、データ書込みエラーが発生したメディアあるいは印刷エラーが発生したメディアをメディアドライブ内、プリンタ内、あるいはメディア搬送経路上から取り除いて、メディアドライブあるいはプリンタを正常状態に復帰させる必要がある。
【０００４】
プリンタにおける印刷エラーは、そのほとんどが消耗品としてのインク、トナーなどのインク切れによるものであり、その結果、印刷不良あるいは印刷不可のエラー状態になるというものである。ここで、複数のインクを用いて印刷を行なうプリンタにおいて一つのインクにインク切れが発生した場合には、印刷データの色情報をインク切れが発生していないインクのみを用いて印刷できる色情報に置換することによって印刷動作を継続する技術が特許文献１に記載されている。また、インク切れ状態が発生したことに起因してインクカートリッジ交換後においても発生する印刷障害を未然に防ぐために、吐出されたインクの滴数を計測してインク消費量を算出することによってインク残量を管理する技術が特許文献２に記載されている。
【特許文献１】特開２００１−１９１５６０号公報
【特許文献２】特開２００１−３２２２９０号公報
【発明の開示】
【発明が解決しようとする課題】
【０００５】
データ書込みエラーが発生した場合にメディアドライブ内に残留しているメディアは、データ書込みエラーが発生した書込み異常メディアであって、レーベル面が未印刷状態のものである。一方、印刷エラーが発生した場合に、メディアドライブ内、プリンタ内、あるいはメディア搬送経路上に残留しているメディアの中には、データ書込みエラーが発生していない書込み正常メディアであってレーベル面が未印刷状態のものがある。すなわち、エラーが発生することによって、外観が同一でありながらデータの書込み状態が異なる２つのメディアが存在することになる。
【０００６】
これらのメディアは目視によって識別することはできないので、動作再開のためにＣＤ／ＤＶＤパブリッシャ内から取り除いたメディアを一箇所にまとめて保管しておくことができない。すなわち、書込み異常メディアは再利用することができないので廃棄してもよいが、未印刷状態の書込み正常メディアはレーベルの印刷を行なうことによって完成メディアとすることができるので再利用しなければならず、一箇所にまとめてしまうと分別作業が必要になるからである。
【０００７】
これを回避するために、目視では同一となるレーベル面が未印刷状態の、書込み異常メディアと書込み正常メディアとを識別するための書込み異常メディアに識別マークを印刷した後に、書込み異常メディアをＣＤ／ＤＶＤパブリッシャから取り除くことが考えられる。しかし、データ書込み異常が発生する前にプリンタにインク切れが発生してしまった場合には、書込み異常メディアに識別マークを印刷することができないという問題が発生する。
【０００８】
本発明の課題は、このような点に鑑みて、データ書込み異常が発生したメディアに、当該異常が発生したことを示すマークを確実に印刷することができるメディア処理装置およびメディア処理装置の制御方法を提案することにある。
【課題を解決するための手段】
【０００９】
上記の課題を解決するために、本発明のメディア処理装置の駆動制御方法は、メディア供給部からメディアドライブにメディアを供給し、当該メディアドライブによって前記メディアにデータを書込み、データ書込み後の書込み済みメディアをプリンタに供給し、
前記書込み済みメディアが正常にデータが書込まれた書込み正常メディアである場合には、当該書込み正常メディアにレーベルを印刷し、前記書込み済みメディアがデータ書込み異常の発生した書込み異常メディアである場合には、当該書込み異常メディアにデータ書込み異常が発生したことを示す書込み異常マークを印刷し、前記レーベル印刷あるいは前記書込み異常マークが印刷された後の印刷済みメディアをメディア排出部に排出し、
前記レーベルを印刷する前の時点で前記プリンタのインクの残量が第１インク量以下のインクニアエンド状態となっていることが検出された場合には、前記書込み正常メディアを、前記レーベルを印刷することなく前記メディア排出部に排出し、
前記レーベルを印刷している途中の時点で前記インクニアエンドとなったことが検出された場合には、前記レーベル印刷を継続し、
前記レーベルを印刷している途中の時点で前記プリンタのインクの残量が前記第１インク量よりも少ない第２インク量以下になったことが検出された場合には、前記レーベル印刷を強制終了させ、印刷途中の前記書込み正常メディアを前記プリンタから取り出して前記メディア排出部に排出することを特徴とする。
【００１０】
本発明によれば、インク残量が第１インク量以下になったインクニアエンド状態が検出された後は、書込み正常メディアにレーベルの印刷を行なわない。レーベル印刷によってインクを消費することがないので、その後にデータ書込み異常が発生しても、書込み異常メディアに書込み異常マークを印刷することができる。また、レーベルを印刷している途中の時点で、インク残量が第２インク量以下になったことが検出された場合には、印刷途中の書込み正常メディアに対するレーベル印刷動作を強制終了して、レーベル印刷によってインク切れが発生してしまうことを回避する。この結果、書込み異常マークを印刷するためのインク量を確保することができるので、その後にデータ書込み異常が発生しても、書込み異常メディアに書込み異常マークを確実に印刷することができる。
【００１１】
次に、本発明における別の形態によるメディア処理装置の駆動制御方法は、複数種類のインクを用いてレーベルを印刷可能な多色のプリンタを有し、前記複数種類のインクの少なくとも２つのインクを、メディアにデータ書込み異常が発生したことを示す書込み異常マークの印刷に用いるマーク印刷用インクとして予め定め、メディア供給部からメディアドライブにメディアを供給し、当該メディアドライブによって前記メディアにデータを書込み、データ書込み後の書込み済みメディアをプリンタに供給し、前記書込み済みメディアが正常にデータが書込まれた書込み正常メディアである場合には、当該書込み正常メディアにレーベルを印刷し、
前記書込み済みメディアがデータ書込み異常の発生した書込み異常メディアである場合には、前記マーク印刷用インクのいずれか一つを用いて当該書込み異常メディアに前記書込み異常マークを印刷し、前記レーベル印刷あるいは前記書込み異常マークが印刷された後の印刷済みメディアをメディア排出部に排出し、
前記レーベルを印刷する前の時点で前記プリンタのいずれか一つのインクの残量が第１インク量以下のインクニアエンド状態となっていることが検出された場合には、前記書込み正常メディアを、前記レーベルを印刷することなく前記メディア排出部に排出し、
前記レーベルを印刷している途中の時点で前記プリンタのいずれか一つのインクが前記インクニアエンド状態となったことが検出された場合には、前記レーベル印刷を継続し、
前記レーベルを印刷している途中の時点で前記マーク印刷用インクの合計残量が第２インク量以下になったことが検出された場合には、前記レーベル印刷を強制終了させ、印刷途中の前記書込み正常メディアを前記プリンタから取り出して前記メディア排出部に排出し、前記書込み異常マークの印刷に用いている前記マーク印刷用インクがインクエンド状態となったことが検出された場合には、残っている他の前記マーク印刷用インクの一つを用いて前記書込み異常マークを印刷することを特徴とする。
【００１２】
メディア処理装置に搭載されているプリンタが複数種類のインクを備える多色のプリンタであれば、書込み異常マークの印刷に用いる複数種類のマーク印刷用インクの合計残量に基づいてレーベル印刷を強制終了しても、書込み異常メディアに書込み異常マークを確実に印刷することができる。ここで、プリンタに備わっている全てのインクをマーク印刷用インクとすることもできる。
【００１３】
ここで、前記書込み異常マークの印刷に用いている前記マーク印刷用インクがインクエンド状態となったことが検出された場合には、前記インクエンド状態が検出された時点で、残っている前記マーク印刷用インクの中で、最もインクの残量の多い前記マーク印刷用インクを使用して、書込み異常マークを印刷すればよい。
【００１４】
また、前記マーク印刷用インクに優先順位を予め付けておき、前記書込み異常マークの印刷に用いている前記マーク印刷用インクがインクエンド状態となったことが検出された場合には、残っている前記マーク印刷用インクの中で最も前記優先順位が高いものを用いることもできる。
【００１５】
この場合には、前記優先順位は、印刷された前記書込み異常マークの視認性に基づき設定されていることが望ましい。
【００１６】
また、前記優先順位の低い前記マーク印刷用インクが用いられる場合には、それよりも優先順位の高い前記マーク印刷用インクを用いる場合に比べて、前記書込み異常マークを大きくする、あるいは、太くするなど、視認性を高くするように印刷することが望ましい。ここで、優先順位が低いインクとしては、例えば、レーベル面が白色のメディアに印刷される書込み異常マークの視認性が低いイエローの色インクがある。
【００１７】
本発明において、前記第１インク量を、少なくとも、１枚のメディアに対するレーベル印刷に必要なインク使用量としておけば、印刷途中においてインクニアエンド状態が検出された場合でも、当該印刷途中のメディアに対する印刷を最後まで行なうことができる。このような各インクのインク残量は、印刷データ量から予測することが可能である。
【００１８】
ここで、予め設定した枚数分のメディアに前記データ書込みと前記レーベル印刷を連続して行なう場合に、前記第２インク量を、少なくとも、設定枚数分のメディアに前記書込み異常マークを印刷するために必要なインク使用量とすることができる。このように第２インク量を規定しておけば、残り枚数全てのメディアにデータ書込み異常が発生した場合でも、書込み異常マークを印刷することができる。このような第２インク量は、１枚のメディアに対する書込み印刷マークの印刷に必要なインク消費量から予測することができる。
【００１９】
また、前記第２インク量を、少なくとも、前記メディア供給部の最大供給枚数分のメディアに前記書込み異常マークを印刷するために必要なインク使用量とすることもできる。このように第２インク量を規定すれば、メディア供給部から供給される全てのメディアにデータ書込み異常が発生した場合でも、書込み異常マークを印刷することができる。
【００２０】
さらに、また、前記第２インク量を、少なくとも、前記メディア供給部に残っている枚数分のメディアに前記書込み異常マークを印刷するために必要なインク使用量としてもよい。第２インク量をメディア供給部に残っている枚数から動的に算出すれば、インクを無駄なく使用することができる。
【００２１】
本発明において、前記インクニアエンド状態および前記インクエンド状態が検出されると、その旨の警告を発して、オペレータなどに知らせることが望ましい。
【００２２】
ここで、このような本発明によるメディア処理装置の駆動制御方法は、メディア処理装置のハードウエアおよびそれに搭載したファームウエアにより実現することができる。しかしながら、メディア処理装置のファームウエア、ハードウエアなどの複雑化を回避し、本発明の駆動制御方法をメディア処理装置に実行させるためには、通信回線を介して外部からメディア処理装置を駆動制御すればよい。すなわち、駆動制御装置の側に搭載したアプリケーションソフト、ドライバソフトなどによって、メディア処理装置のハードウエアの動作状態を示すステータス情報を受信するようにして、本発明の駆動制御方法に従って動作するようにメディア処理装置を駆動制御すればよい。
【００２３】
次に、本発明のメディア処理装置は、メディアにデータを書込むメディアドライブと、メディアドライブにおいてデータ書込みが終わった書込み済みメディアに印刷を行なうプリンタと、メディアを排出するためのメディア排出部と、前記メディアドライブのデータ書込み異常を検出するためのデータ書込み異常検出手段と、前記プリンタのインクの残量が第１インク量以下のインクニアエンド状態となったことを検出するインクニアエンド検出手段と、前記プリンタのインクの残量が第２インク量以下となったインク残量少状態を検出するインク残量少検出手段と、メディアの搬送を行なうメディア搬送機構を有し、
前記プリンタは、前記データ書込み異常が検出されなかった書込み正常メディアには前記レーベルを印刷し、前記データ書込み異常が検出された書込み異常メディアには、当該書込み異常メディアにデータ書込み異常が発生したことを示す書込み異常マークを印刷し、前記メディア搬送機構は、前記レーベルあるいは前記書込み異常マークが印刷された後の印刷済みメディアを前記メディア排出部に排出し、
前記プリンタが前記レーベルを印刷する前の時点で前記インクニアエンド状態が検出されていると、前記プリンタは、当該インクニアエンド状態が解消されるまで、前記書込み正常メディアに対する前記レーベルの印刷を停止し、前記メディア搬送機構は、前記レーベルが未印刷状態の前記書込み正常メディアを前記メディア排出部へ排出し、
前記プリンタが前記レーベルを印刷中に前記インクニアエンド状態が検出された場合には、前記レーベル印刷を継続し、
前記プリンタが前記レーベルを印刷中に前記インク残量少状態検出された場合には、前記プリンタは前記レーベル印刷を強制終了し、前記メディア搬送機構は、印刷途中の前記正常書込みメディアを前記プリンタから取り出して前記メディア排出部に排出することを特徴とする。
【００２４】
また、本発明における別の形態によるメディア処理装置は、メディアにデータを書込むメディアドライブと、メディアドライブにおいてデータ書込みが終わった書込み済みメディアに複数種類のインクを用いてレーベルの印刷を行なうプリンタと、メディアを排出するためのメディア排出部と、前記メディアドライブのデータ書込み異常を検出するためのデータ書込み異常検出手段と、前記複数種類のインクのそれぞれのインク残量が第１インク量以下のインクニアエンド状態となったことを検出するインクニアエンド検出手段と、前記複数種類のインクの少なくとも２つのインクを、メディアにデータ書込み異常が発生したことを示す書込み異常マークの印刷に用いるマーク印刷用インクとして設定するマーク印刷用インク設定手段と、前記複数種類のマーク印刷用インクの中から実際に前記書込み異常マークの印刷に使用する一のマーク印刷用インクを選択するマーク印刷インク選択手段と、前記複数種類のマーク印刷用インクの合計残量が第２インク量以下のインク残量少状態となったことを検出するインク残量少検出手段と、前記複数種類のマーク印刷用インクそれぞれのインクエンド状態を検出するインクエンド検出手段と、メディアの搬送を行なうメディア搬送機構を有し、
前記プリンタは、前記データ書込み異常が検出されなかった書込み正常メディアには前記レーベルを印刷し、前記データ書込み異常が検出された書込み異常メディアには前記マーク印刷インク選択手段が選択した前記一のマーク印刷用インクを用いて前記書込み異常マークを印刷し、前記メディア搬送機構は、前記レーベルあるいは前記書込み異常マークが印刷された後の印刷済みメディアを前記メディア排出部に排出し、
前記プリンタが前記レーベルを印刷する前の時点で前記インクニアエンド状態が検出されていると、前記プリンタは、当該インクニアエンド状態が解消されるまで、前記書込み正常メディアに対する前記レーベルの印刷を停止し、前記メディア搬送機構は、前記レーベルが未印刷状態の前記書込み正常メディアを前記メディア排出部へ排出し、
前記プリンタが前記レーベルを印刷中に前記インクニアエンド状態が検出された場合には、前記レーベル印刷を継続し、前記プリンタが前記レーベルを印刷中に前記インク残量少状態検出された場合には、前記プリンタは前記レーベル印刷を強制終了し、前記メディア搬送機構は、印刷途中の前記書込み正常メディアを前記プリンタから取り出して前記メディア排出部に排出し、
前記インクエンド検出手段が、前記マーク印刷インク選択手段が選択している前記マーク印刷用インクのインクエンド状態を検出した場合には、前記マーク印刷インク選択手段は、インクエンド状態が検出されていない他の前記マーク印刷用インクの一つを選択し、前記プリンタは選択された当該マーク印刷用インクを用いて前記書込み異常マークを印刷することを特徴とする。
【００２５】
この場合には、前記複数種類のマーク印刷用インクのそれぞれについてインクの残量を検出するインク残量把握手段を有し、前記マーク印刷インク選択手段は、最もインクの残量の多い前記マーク印刷用インクを選択することことができる。
【００２６】
また、前記マーク印刷インク選択手段は、前記複数種類のマーク印刷用インクのそれぞれに予め設定されている前記書込み異常マークの印刷に用いる優先順位を記憶保持しており、当該優先順位が最も高いマーク印刷用インクを選択するようにしてもよい。
【００２７】
この場合には、前記優先順位は、印刷された前記書込み異常マークの視認性に基づき設定されていることが望ましい。
【００２８】
また、前記マーク印刷インク選択手段が前記優先順位の低い前記マーク印刷用インクを選択した場合には、前記プリンタは、それよりも優先順位の高い前記マーク印刷用インクを用いる場合に比べて、前記書込み異常マークを大きくする、あるいは、太くするなど、視認性の高い印刷を行なうことが望ましい。
【００２９】
本発明において、前記メディア搬送機構は、前記インクニアエンド状態が検出された後は、前記書込み正常メディアを、前記メディアドライブから前記メディア排出部に排出するようにしてもよい。インクニアエンド状態が検出された後は、データ書込み異常が発生していない書込み正常メディアには、なんらの印刷も行なわなくてよい。従って、メディア搬送機構はプリンタを経由することなく書込み正常メディアをメディア排出部に排出すれば、その排出動作が迅速に行なわれる。
【００３０】
本発明において、前記第１インク量を、少なくとも、１枚のメディアに対するレーベル印刷に必要なインク使用量とすることが望ましい。
【００３１】
ここで、前記データ書込みと前記レーベル印刷を連続して行なうメディアの作成枚数を予め設定するメディア作成枚数設定手段を有し、前記第２インク量を、少なくとも、前記作成枚数分のメディアに前記書込み異常マークを印刷するために必要なインク使用量とすることができる。
【００３２】
また、前記メディアドライブにメディアを供給するためのメディア供給部を有し、前記第２インク量を、少なくとも、前記メディア供給部の最大供給枚数分のメディアに前記書込み異常マークを印刷するために必要なインク使用量とすることもできる。
【００３３】
さらに、前記メディアドライブにメディアを供給するためのメディア供給部と、前記メディア供給部に残っているメディアの残枚数を取得するメディア残枚数取得手段と、前記残枚数分のメディアに前記書込み異常マークを印刷するために必要なインク使用量を算出するインク使用量算出手段を有し、前記第２インク量を、前記インク使用量算出手段が算出した前記インク使用量としてもよい。
【００３４】
本発明において、前記インクニアエンド状態が検出されると、その旨の警告を発する警告手段を有することが望ましい。
【発明の効果】
【００３５】
本発明によれば、インクニアエンド状態が検出された後は、書込み正常メディアにレーベルの印刷を行なわない。レーベル印刷によってインクを消費することがないので、その後にデータ書込み異常が発生しても、書込み異常メディアに書込み異常マークを印刷することができる。また、レーベルを印刷中にインク残量少状態が検出された場合には、印刷途中の書込み正常メディアに対するレーベル印刷動作を強制終了して、レーベル印刷によってインク切れが発生してしまうことを回避する。この結果、書込み印刷マークを印刷するためのインク量を確保することができるので、その後にデータ書込み異常が発生しても、書込み異常メディアに書込み異常マークを確実に印刷することができる。
【発明を実施するための最良の形態】
【００３６】
以下に、図面を参照して本発明を適用したメディア処理装置の実施の形態を説明する。
【００３７】
（構成の説明）
図１は本発明の実施の形態に係るＣＤ／ＤＶＤパブリッシャを示す斜視図である。内部構造が分かるように、その前面の開閉扉を開くと共に、その筐体の上板部分の一部を取り外した状態で示してある。
【００３８】
ＣＤ／ＤＶＤパブリッシャ１は、ＣＤ、ＤＶＤなどのメディアに、データの書込みとレーベルの印刷とを連続して行なうものである。メディアを搬送するメディア搬送機構２と、メディアにデータを書込むメディアドライブ３と、データ書込みが正常に行なわれた書込み済みメディア（書込み正常メディア）にレーベルを印刷するとともに、メディアドライブにおいてデータ書込み異常が検出された書込み済みメディア（書込み異常メディア）に書込み異常マークを印刷するレーベルプリンタ４とを有している。レーベルプリンタ４はブラック、シアン、マゼンダおよびイエローの４色のインクを用いてカラー印刷を行なうカラーインクジェッドプリンタである。
【００３９】
また、メディアドライブ３に供給されるブランクメディア１０を収納するブランクメディアスタッカ５（メディア供給部）と、データの書込み、およびレーベル印刷が終了した完成メディアを排出するためのメディア排出用スタッカ６（メディア排出部）とを備えている。
【００４０】
詳細に説明すると、ＣＤ／ＤＶＤパブリッシャ１は筺体１１を備え、この筐体１１の前面には左右に開閉可能な開閉扉１２、１３が取り付けられている。右側の開閉扉１３の下側部分は前方に迫り出した操作パネル面１４となっており、ここには、メディアドライブ３でデータ書込み異常が発生した場合、および、レーベルプリンタ４にインクの供給異常が発生した場合にその旨の警告を発するために点滅駆動されるＬＥＤを備えた警告表示部１６（警告手段）が配置されている。
【００４１】
筐体１１内において、左側の開閉扉１２の裏側には、縦方向に上側からブランクメディアスタッカ５とメディア排出用スタッカ６とが配置されている。各メディアスタッカ５、６は、メディアを上下方向に積層した状態で収納するものである。これらのメディアスタッカ５、６は、開閉扉１２を開けて手前に引き出すことが可能であり、引き出した状態のブランクメディアスタッカ５にはブランクメディアを供給あるいは補充でき、引き出した状態のメディア排出用スタッカ６からは、そこに排出されているメディアを取り出すことができる。
【００４２】
メディアスタッカ５、６の後方にはメディア搬送機構２が配置されている。メディア搬送機構２は、垂直ガイド軸２１と、この垂直ガイド軸２１に取り付けられたメディアキャリア２２を備えている。メディアキャリア２２は垂直ガイド軸２１に沿って昇降可能であるとともに、垂直ガイド軸２１を中心に旋回可能になっている。メディア搬送機構２は、メディアキャリア２２の昇降および旋回の組み合わせによって、メディアドライブ３、レーベルプリンタ４、ブランクメディアスタッカ５およびメディア排出用スタッカ６の間でメディアを搬送することができる。
【００４３】
筐体１１内の正面中央部の後ろ側には、上側にメディアドライブ３が配置され、下側にレーベルプリンタ４が配置されている。図１では、メディアドライブ３のメディアトレイ３５およびレーベルプリンタ４のメディアトレイ４５が引き出された状態になっている。引き出された状態のメディアトレイ３５、４５の位置が、メディアドライブ３およびレーベルプリンタ４とメディア搬送機構２とのメディア受け渡し位置である。
【００４４】
筐体１１内における右側の開閉扉１３の裏側には、レーベルプリンタ４にインクを供給する複数のインクカートリッジ４６が装着されたカートリッジ装着部４７が配置されている。インクカートリッジ４６の交換は、右側の開閉扉１３を開けた状態で正面から簡単に行なうことができる。
【００４５】
図２はＣＤ／ＤＶＤパブリッシャ１の主要部分の機能ブロック図である。図２に示すように、ＣＤ／ＤＶＤパブリッシャ１は、メディアドライブ３において発生するデータ書込み異常を検出するデータ書込み異常検出部３１（データ書込み異常検出手段）を備えている。また、レーベルプリンタ４のインク残量を検出するためのインクエンド検出部４１（インクエンド検出手段）、インクニアエンド検出部４２（インクニアエンド検出手段）、インク残量少検出部４３（インク残量少検出手段）を備えている。さらに、メディアドライブ３においてデータ書込み異常が発生した書込み異常メディアに書込み異常マークを印刷するのに使用するマーク印刷用インクを選択するマーク印刷インク選択部４４（マーク印刷インク選択手段）を備えている。
【００４６】
インクエンド検出部４１は、レーベルプリンタ４による印刷が不可能なインクエンド状態を検出するものである。インクニアエンド検出部４２は、インクの残量が第１インク量以下になったインクニアエンド状態を検出するものである。インクエンド状態およびインクニアエンド状態は、ブラック、シアン、マゼンダおよびイエローの、４色のインクのそれぞれについて検出される。
【００４７】
インクニアエンド状態を検出する基準となる各インクの第１インク量は、少なくとも、１枚のメディアに対するレーベル印刷に必要なインク使用量である。このようなインク使用量を第１インク量にしておけば、レーベルの印刷中にインクニアエンド状態が検出された場合でも、当該印刷中の書込み済みメディアに対する印刷を最後まで行なうことができる。また、このような各インクの第１インク量は、印刷データ量から算出することが可能である。ここで、インクの残量はセンサによって検出することもできるが、本例のインクニアエンド検出部４２は、吐出されたインクの滴数を計測することによってインク消費量を計測しており、計測したインク消費量とインクカートリッジ４６の容量とから各インクのインクの残量を算出するようにしている。
【００４８】
インク残量少検出部４３は、４色インクそれぞれのインク残量から算出した合計残量が第２インク量以下になったインク残量少状態を検出するものである。ここで、第２インク量は、ブランクメディアスタッカ５の最大供給枚数分のメディアに前記書込み異常マークを印刷するために必要なインク使用量としてある。書込み印刷マークは９ｐｔの「×」印であり、書込み異常マークを１回の印刷するのに必要なインク使用量は算出することができるので、最大供給枚数から第２インク量を規定することができる。第２インク量をこのように規定しておけば、ブランクメディアスタッカに収納されている全てのブランクメディアにデータ書込み異常が発生した場合でも、書込み異常メディアに書込み異常マークを印刷することができる。
【００４９】
マーク印刷インク選択部４４は、書込み異常マークの印刷に用いるマーク印刷用インクの中から、実際に書込み異常マークの印刷に使用するインクを選択するものである。本例ではブラック、マゼンダ、シアンおよびイエローの全てのインクをマーク印刷用インクとしてある。すなわち、いずれのインクを用いて書込み異常マークを印刷してもよいこととしている。
【００５０】
ここで、ブラック、マゼンダ、シアンおよびイエローの各インクには、書込み異常マークの印刷に用いる際の優先順位が、この順番で付せられている。また、マーク印刷インク選択部４４はこの優先順位を記憶保持している。そして、書込み異常マークの印刷に使用されているマーク印刷用インクがインクエンド状態となったことがインクエンド検出部４１によって検出されると、マーク印刷インク選択部４４はインクエンド状態が検出されていないマーク印刷用インクの中から最も優先順位の高いマーク印刷用インクを選択する。新たなマーク印刷用インクが選択されると、それ以降、レーベルプリンタ４は選択されたマーク印刷用インクを用いて書込み異常マークを印刷する。
【００５１】
さらに図２を参照してＣＤ／ＤＶＤパブリッシャ１の主要機能を説明する。まず、メディア搬送機構２は、ブランクメディアスタッカ５に収納されているブランクメディア１０を逐次メディアドライブ３に供給する（ＳＴ１）。ブランクメディア１０が供給されるとメディアドライブ３は所定のデータを書込む（ＳＴ２）。データの書込みが終了したメディア１０Ａ（書込み済みメディア）は、メディア搬送機構２によってレーベルプリンタ４に供給される（ＳＴ３）。
【００５２】
レーベルプリンタ４では、データ書込み異常検出部３１がデータ書込み異常を検出した書込み異常メディア１０Ａ２には、書込み異常マークを印刷する（ＳＴ４）。また、データ書込み異常検出部３１がデータ書込み異常を検出しなかった書込み正常メディア１０Ａ１には、レーベルを印刷する（ＳＴ５）。
【００５３】
そして、レーベルプリンタ４でのレーベル印刷が終了した書込み正常メディア（完成メディア）１０Ａ４および書込み異常メディア１０Ａ２は、メディア搬送機構２によってレーベルプリンタ４からメディア排出用スタッカ６に排出される（ＳＴ６）。これら一連の処理動作が、ブランクメディアスタッカ５に収納されているブランクメディア１０が無くなるまで繰り返し行なわれる。
【００５４】
ここで、レーベル印刷の開始前にインクニアエンド検出部４２が、４色のインクのいずれかのインクがインクニアエンド状態となっていることを検出した場合は、レーベルプリンタ４は書込み正常メディア１０Ａ１へのレーベル印刷を行なわない。従って、メディア搬送機構２は未印刷状態の書込み正常メディア（未印刷状態メディア）１０Ａ１をレーベルプリンタ４からメディア排出用スタッカ６に排出する（ＳＴ６）。
【００５５】
ただし、レーベルプリンタ４においてレーベルの印刷中に、インクニアエンド状態を検出した場合には、レーベルプリンタ４はそのまま印刷を続行する。その後、当該印刷中の書込み正常メディアの印刷が終了する前に合計残量がインク残量少状態となったことを検出した場合には、印刷を強制終了する。レーベル印刷動作が強制終了されると、メディア搬送機構２は、印刷途中状態の書込み正常メディア（印刷異常メディア）１０Ａ３をレーベルプリンタ４からメディア排出用スタッカ６に排出する（ＳＴ６）。
【００５６】
なお、メディア搬送機構２、メディアドライブ３およびレーベルプリンタ４は動作状態を示すステータス情報を相互に送受信して連携を図っており、各ハードウエアに搭載されているファームウエアによってその駆動が制御されている。
【００５７】
このように、本例のＣＤ／ＤＶＤパブリッシャ１は、レーベルプリンタ４においてインクニアエンド状態が検出された後は、レーベル印刷を行なわない。レーベル印刷によってインクを消費することがないので、その後にメディアドライブ３においてデータ書込み異常が発生しても、書込み異常メディア１０Ａ２に書込み異常マークを印刷することができる。また、レーベルを印刷中に、インク残量少状態が検出された場合には、印刷途中の書込み正常メディア１０Ａ１に対するレーベル印刷動作を強制終了するので、レーベル印刷によってインクエンド状態となってしまうことを回避できる。この結果、書込み異常マークを印刷するためのインク量を確保できるので、その後にメディアドライブ３においてデータ書込み異常が発生しても、書込み異常メディア１０Ａ２に書込み異常マークを確実に印刷することができる。
【００５８】
また、書込み異常メディア１０Ａ２には書込み異常マークが確実に印刷されるので、完成メディア１０Ａ４、書込み異常メディア１０Ａ２、印刷異常メディア１０Ａ３および未印刷状態メディア１０Ａ１を単一のメディア排出用スタッカ６に排出しても、レーベル面への印刷状態がそれぞれ異なっており、目視により識別することができる。従って、未印刷状態メディア１０Ａ１だけを取り出して、レーベルを印刷することによって完成メディア１０Ａ４とすることができる。また、再利用することができない書込み異常メディア１０Ａ２および印刷異常メディア１０Ａ３を取り出して、廃棄することができる。
【００５９】
（処理動作の説明）
図３は、ＣＤ／ＤＶＤパブリッシャ１によるメディア作成の処理動作を示すフローチャートである。このフローチャートに従ってメディア作成動作を説明する。
【００６０】
まず、ステップＳＴ１０で、メディア搬送機構２はブランクメディアスタッカ５に収納されているブランクメディア１０の有無を確認する。ブランクメディア１０が無ければステップＳＴ１１に移行して、メディア作成の処理動作は終了する。ブランクメディア１０があれば、ステップＳＴ１２に移行して、メディア搬送機構２はブランクメディアスタッカ５からメディアドライブ３の引き出された状態のメディアトレイ３５にブランクメディア１０を搬送する。
【００６１】
メディアドライブ３は、メディア搬送機構２からメディアを受け取ると、メディアトレイ３５を内部に収納して、ステップＳＴ１３のデータの書込みを開始する。
【００６２】
データの書込みが終了すると、ステップＳＴ１４に移行して、メディア搬送機構２は、書込み済みメディアをメディアドライブ３からレーベルプリンタ４の引き出された状態のメディアトレイ４５へ搬送する。
【００６３】
搬送が終わるとステップＳＴ１５で、データ書込み異常検出部３１がデータ書込み異常の有無を判定する。データ書込み異常が検出された場合には、ステップＳＴ１６に移行する。
【００６４】
ステップＳＴ１６では、マーク印刷インク選択部４４が書込み異常マークの印刷に使用するマーク印刷用インクを選択する。具体的には、予め各インクに設定された優先順位に基づいて、インクエンド状態ではないインクの中で最も優先順位の高いインクをマーク印刷用インクとして選択する。
【００６５】
マーク印刷用インクが選択されると、ステップＳＴ１７では、レーベルプリンタ４は、選択されたマーク印刷用インクを使用して、書込み異常メディア１０Ａ２に書込み異常マークを印刷する。また、ステップＳＴ１８に移行して、メディア搬送機構２は、書込み異常マークが印刷された書込み異常メディア１０Ａ２をレーベルプリンタ４からメディア排出用スタッカ６に排出した後、ステップＳＴ１０に戻る。
【００６６】
ステップＳＴ１５においてデータ書込み異常が検出されなかった場合には、ステップＳＴ１９でインクニアエンド状態を検出する。ステップＳＴ１９では、４色のインクの少なくとも一のインクについてインクニアエンド状態となったことを検出した後は、インクニアエンド状態が解消されるまでインクニアエンド検出状態が保持される。
【００６７】
ステップＳＴ１９でインクニアエンド状態が検出された場合には、レーベルプリンタ４はなんらの印刷動作も行なわずに、ステップＳＴ２０に移行する。ステップＳＴ２０では、インクニアエンド状態が警告表示部１６に表示される。続くステップＳＴ２１では、メディア搬送機構２が未印刷状態メディア１０Ａ１をレーベルプリンタ４からメディア排出用スタッカ６に排出した後、ステップＳＴ１０に戻る。
【００６８】
ステップＳＴ１９でインクニアエンド状態が検出されなかった場合には、ステップＳＴ２２に移行して、レーベルプリンタ４はレーベルの印刷を行なう。
【００６９】
ここで、レーベルの印刷中のステップＳＴ２３において、インクニアエンド検出部４２が少なくとも一のインクがインクニアエンド状態となったことを検出すると、ステップＳＴ２４では、警告表示部１６にインクニアエンド状態が発生した旨を表示する。そして、レーベルプリンタ４によるレーベルの印刷を中止することなく、継続して行なう。その後、当該書込み正常メディアの印刷中のステップＳＴ２５において、インク残量少検出部４３が合計残量についてインク残量少状態を検出すると、ステップＳＴ２６に移行する。
ステップＳＴ２６では、警告表示部１６にインク残量少状態が発生した旨を表示する。また、レーベルプリンタ４によるレーベル印刷動作は強制終了される。続くステップＳＴ２７で、メディア搬送機構２は、印刷が強制終了された状態の印刷異常メディア１０Ａ３をメディア排出用スタッカ６に排出した後、ステップＳＴ１０に戻る。
【００７０】
ステップＳＴ２５においてインク残量少状態が検出されなかった場合には、ステップＳＴ２８でレーベルの印刷の終了が確認されるまで、ステップＳＴ２２〜ＳＴ２５の処理動作を繰り返す。
【００７１】
そして、ステップＳＴ２８でレーベルの印刷が終了したことが確認されると、ステップＳＴ２９で、メディア搬送機構２は、完成メディア１０Ａ４をレーベルプリンタ４からメディア排出用スタッカ６に排出した後、ステップＳＴ１０に戻る。
【００７２】
（作用効果の説明）
以上、本例のＣＤ／ＤＶＤパブリッシャ１は、メディアドライブ３においてデータ書込み異常が発生した場合でも、レーベルプリンタ４にインクニアエンド状態が発生した場合でも、書込み済みメディア１０Ａ（１０Ａ１、１０Ａ２）はメディア排出用スタッカ６に排出される。書込み済みメディアが、メディアドライブ３内、レーベルプリンタ４内、あるいは搬送経路上に残ってしまうことがないので、新たなブランクメディア１０をメディアドライブ３に供給して、そのメディアに対するデータの書込みを行なうことができる。すなわち、異常が発生してもＣＤ／ＤＶＤパブリッシャ１の処理動作が完全に停止あるいは中断することがないので、処理に時間のかかるブランクメディア１０へのデータの書込みを継続して行なうことができる。
【００７３】
また、本例のＣＤ／ＤＶＤパブリッシャ１は、完成メディア１０Ａ４、書込み異常メディア１０Ａ２、印刷異常メディア１０Ａ３および未印刷状態メディア１０Ａ１を単一のメディア排出用スタッカ６に排出している。メディア排出用のスタッカが１つで足りるので、装置の小型化、低コスト化を図ることができる。
【００７４】
また、本例では、メディア搬送機構２は、ブランクメディアスタッカ５からメディアドライブ３への搬送、メディアドライブ３からレーベルプリンタ４への搬送、レーベルプリンタ４からメディア排出用スタッカ６への搬送、という決められた３つの搬送動作を繰返し行なうだけでよい。搬送パターンが決まっているので、メディア搬送機構２を制御するファームウエアを簡略化することができる。
【００７５】
さらに、本例では、レーベルプリンタ４による書込み正常メディア１０Ａ１に対するレーベル印刷開始後に、複数のインクのいずれかのインクがインクニアエンド状態となったことが検出された場合には、当該書込み正常メディア１０Ａ１に対するレーベル印刷を強制終了させることなく、継続して行なっている。従って、残存するインクによって完成メディア１０Ａ４の枚数を多くできる。また、このような場合にレーベル印刷を継続しても、インク残量少状態となった場合には、レーベルの印刷動作が強制終了させられるので、それ以降にデータ書込み異常が発生しても、書込み異常メディア１０Ａ２に書込み異常マークを印刷することができる。
【００７６】
さらに、インクニアエンド状態およびインク残量少状態が発生した場合には、警告表示部１６のＬＥＤを点灯または点滅させてその旨を表示している。このような警告が発せられれば、オペレータは、メディア排出用スタッカ６に排出されているメディアの中に未印刷状態メディア１０Ａ１や印刷異常メディア１０Ａ３が混在していることを知ることができる。従って、メディア排出用スタッカ６に排出されたメディアをＣＤ／ＤＶＤパブリッシャ１から取り出した後で、分別作業が必要であることを認識できる。また、オペレータに、インクカートリッジ４６の交換などの対応を促すことができる。
【００７７】
（その他の実施の形態）
上記の例では、インク残量少状態となったことを検出する際に基準となる第２インク量を、ブランクメディアスタッカ５の最大供給枚数に基づいて規定していたが、メディアの作成枚数を予め設定しておいて、第２インク量を、少なくとも、作成枚数分のメディアに書込み異常マークを印刷するために必要なインク使用量とすることもできる。この場合には、ＣＤ／ＤＶＤパブリッシャ１に、メディアの作成枚数を設定するためのメディア作成枚数設定手段を備えればよい。
【００７８】
また、ＣＤ／ＤＶＤパブリッシャ１に、ブランクメディアスタッカ５に残っているメディアの残枚数を取得するメディア残枚数取得手段と、残枚数分のメディアに書込み異常マークを印刷するために必要なインク使用量を算出するインク使用量算出手段を有し、第２インク量を、インク使用量算出手段が算出したインク使用量とすることもできる。第２インク量を、ブランクメディアスタッカ５のメディア残枚数から動的に算出すれば、各インクを無駄なく使用することができる。
【００７９】
上記の例では、ブラック、マゼンダ、シアンおよびイエローの４色のインク全てを書込み異常マークの印刷に用いるマーク印刷用インクとしていたが、特定のインクを書込み異常マークの印刷に用いないようにすることもできる。この場合には、ＣＤ／ＤＶＤパブリッシャ１が、複数種類のインクから書込み異常マークの印刷に用いる複数のインクをマーク印刷用インクとして設定するマーク印刷用インク設定手段を備えるとともに、インク残量少検出部４３は、選択された複数種類のマーク印刷用インクのインク残量から算出した合計残量についてインク残量少状態を検出するようにすればよい。例えば、イエローのインクによって印刷される書込み異常マークは視認性が低いので、これを書込み異常マークの印刷に使用したくない場合には、ブラック、マゼンダ、シアンの３色のインクのみをマーク印刷用インクとして設定しておけばよい。なお、複数種類のインクとしては、上記の４色に限られるものではない。また、異なるインクカートリッジ４６に同色のインクが充填されている場合も、複数種類のインクを用いている場合に含むものとする。
【００８０】
また、上記の例では、複数種類のマーク印刷用インクのそれぞれに予め優先順位を設定しておいて、優先順位が高いものから順番に選択されて使用されるようになっていたが、マーク印刷インク選択部４４はマーク印刷用インクの中で最もインク残量が多いインクを選択するようにしてもよい。この場合には、各マーク印刷用インクのインク残量を把握するためのインク残量把握手段を設ける必要があるが、上記の例のように、インクニアエンド検出部４２が吐出されたインクの滴数を計測してインク消費量を算出している場合には、インクニアエンド検出部４２をインク残量把握手段として利用することができる。また、印刷される書込み異常マークの視認性が高いインクを優先順位の上位にした場合には、マーク印刷インク選択部４４が優先順位の低いインクを選択すると、レーベルプリンタ４が書込み異常マークを拡大して印刷するようにしてもよい。
【００８１】
さらに、上記の例では、メディア搬送機構２によってメディアドライブ３からレーベルプリンタ４に書込み済みメディアを供給した後に、メディアドライブ３におけるデータ書込み異常を検出していたが、書込み済みメディアをレーベルプリンタ４に供給する前に、データ書込み異常検出部３１がデータ書込み異常を検出するようにしてもよい。この場合には、インクニアエンド検出部４２がインクニアエンド状態を検出した後は、インクニアエンド状態が解消されるまでメディア搬送機構２は書込み正常メディアをメディアドライブ３からメディア排出用スタッカ６に排出する。なんらの印刷も行なう必要がない書込み正常メディアを、レーベルプリンタ４を経由させることなくメディア排出用スタッカ６に排出するので、その排出動作が効率的に行なわれる。
【００８２】
また、上記の例では、インクニアエンド状態およびインク残量少状態が発生した場合には警告表示部１６のＬＥＤを点灯または点滅させてその旨を表示しているが、データ書込み異常が検出された場合にも、警告表示部１６のＬＥＤを点灯または点滅させてその旨の警告を発するようにしてもよい。このようにすれば、オペレータは警告によってメディア排出用スタッカ６に排出されているメディアの中に書込み異常メディア１０Ａ２が存在していることを知ることができるので、メディア排出用スタッカ６に排出されたメディアをＣＤ／ＤＶＤパブリッシャ１から取り出した後で、分別作業を行なう必要があることを認識できる。
【００８３】
また、ブランクメディアスタッカ５からブランクメディア１０を供給してデータの書込みを行なっていたが、供給されるメディアはブランクメディア１０に限られるものではない。データ書込み領域の一部分に既にデータが書込まれている追記型或いは書き換え型のメディアをブランクメディアスタッカ５に収納しておいて、それらに所定のデータを書込むこともできる。
【００８４】
さらに、上記の例では、ＣＤ／ＤＶＤパブリッシャ１のメディアドライブ３、レーベルプリンタ４、メディア搬送機構２は、その駆動を各ハードウエアに搭載されたファームウエアで制御するようにしていたが、ＣＤ／ＤＶＤパブリッシャ１に通信可能に接続された駆動制御装置からその駆動を制御して、上記の例と同様のメディア発行の処理を行なうこともできる。この場合には、駆動制御装置の側に搭載したアプリケーションソフト、ドライバソフトなどによって、ＣＤ／ＤＶＤパブリッシャ１のハードウエアの動作状態を示すステータス情報を受信して、ＣＤ／ＤＶＤパブリッシャ１の状態を監視しながら、ＣＤ／ＤＶＤパブリッシャ１を駆動制御すればよい。
【００８５】
また、レーベルプリンタ４としてインクジェットプリンタを用いていたが、レーベルプリンタ４としては、レーザプリンタなどトナーインクを用いてレーベルの印刷を行なうプリンタであってもよい。
【図面の簡単な説明】
【００８６】
【図１】本発明を適用したＣＤ／ＤＶＤパブリッシャの斜視図である。
【図２】ＣＤ／ＤＶＤパブリッシャの機能ブロック図である。
【図３】ＣＤ／ＤＶＤパブリッシャの処理動作を示すフローチャートである。
【符号の説明】
【００８７】
１・ＣＤ／ＤＶＤパブリッシャ、２・メディア搬送機構、３・メディアドライブ、４・レーベルプリンタ、５・ブランクメディアスタッカ、６・メディア排出用スタッカ、１０・ブランクメディア、１１・筺体、１２，１３・開閉扉、１４・操作パネル面、１６・警告表示部、２１・垂直ガイド軸、２２・メディアキャリア、３１・データ書込み異常検出部、３５，４５・メディアトレイ、４１・インクエンド検出部、４２・インクニアエンド検出部、４３・インク残量少検出部、４４・マーク印刷用インク選択部、４６・インクカートリッジ、４７・カートリッジ装着部
【図１】
2008119985.tif 000003
【図２】
2008119985.tif 000004
【図３】
2008119985.tif 000005